(57)【要約】【課題】外観、風合い、物性に優れる皮革様シートの製造方法および皮革様シートを提供する。さらには、高い耐光性、耐摩耗性をポリウレタン等の高分子弾性体を実質的に含まずに達成し、リサイクル性、耐黄変性等に優れる皮革様シートの製造方法および皮革様シートを提供する。【解決手段】目付が１５０〜４００ｇ／ｍ２、密度が０．２０〜０．３５ｇ／ｃｍ３の極細繊維不織布を、孔間隔が０．１５〜１．５０ｍｍで配置されたノズルから１孔当たり０．３５〜１．６０Ｎのジェット力で高速流体処理して、密度を０．３５〜０．５０ｇ／ｃｍ３にすることを特徴とする皮革様シートの製造方法。【選択図】なし【特許請求の範囲】
【請求項１】
目付が１５０〜４００ｇ／ｍ２、密度が０．２０〜０．３５ｇ／ｃｍ３の極細繊維不織布を、孔間隔が０．１５〜１．５０ｍｍで配置されたノズルから１孔当たり０．３５〜１．６０Ｎのジェット力で高速流体処理して、密度を０．３５〜０．５０ｇ／ｃｍ３にすることを特徴とする皮革様シートの製造方法。
【請求項２】
単繊維繊度が１〜１０ｄｔｅｘの極細繊維発生型複合繊維を用いて、ニードルパンチ法により複合繊維不織布を製造し、次いで極細繊維発現処理を行って得た極細繊維不織布を用いることを特徴とする請求項１に記載の皮革様シートの製造方法。
【請求項３】
前記極細繊維の単繊維繊度が０．０５〜０．５０ｄｔｅｘであり、繊維長が１０〜１００ｍｍであることを特徴とする請求項１または２に記載の皮革様シートの製造方法。
【請求項４】
前記ジェット力が、２０〜６０ＭＰａに加圧した流体を孔径が０．０８〜０．２５ｍｍのノズルから吐出することを特徴とする請求項１〜３のいずれか１項に記載の皮革様シートの製造方法。
【請求項５】
前記極細繊維不織布と織編物を高速流体処理によって積層一体化することを特徴とする請求項１〜４のいずれか１項に記載の皮革様シートの製造方法。
【請求項６】
請求項１〜５のいずれか１項に記載の皮革様シートの製造方法によって得られたことを特徴とする皮革様シート。
【発明の詳細な説明】
【技術分野】
【０００１】
本発明は、主として繊維素材からなり、外観、風合い、物性に優れ、特に、高い耐光性、耐摩耗性を要求される自動車内装材や、ホテルや劇場等のコントラクト家具に好適に使用できる皮革様シートの製造方法および皮革様シートに関する。
【背景技術】
【０００２】
極細繊維と高分子弾性体からなる皮革様シートは、天然皮革に似たタッチを有しており、イージーケア性のような天然皮革にない優れた特徴を併せ持つことから、種々の用途に広く使用されている。
【０００３】
一般的に、不織布・ウエブなどの繊維シートにポリウレタン等の高分子弾性体溶液を含浸した後、その繊維シート状物を水または有機溶剤水溶液中に浸漬して高分子弾性体を湿式凝固する方法が採用されている。
【０００４】
しかし、実用に耐えうる強度、寸法安定性等を得るために、多量の高分子弾性体を使用するため、高分子弾性体の原料コストや高分子弾性体を含浸・凝固・乾燥する製造コストが大きくなり、皮革様シートは高価になっている。
【０００５】
また、高分子弾性体が多くなるとゴムライクな風合いになりやすく、天然皮革に似た充実感を得ることが困難になる。さらに、高分子弾性体を含浸するための溶媒として、一般的にＮ，Ｎ’−ジメチルホルムアミド等の水混和性有機溶剤が用いられているが、作業環境の点から好ましくない。
【０００６】
また、近年は環境や資源の保護等の目的でリサイクル性が重視されており、例えばポリエステルの分解回収方法（例えば、特許文献１参照）やポリウレタンの分解方法（例えば、特許文献２参照）が検討されている。しかし、これらの方法はいずれも主として単一成分のものに適用され、かかる皮革様シートのような繊維とポリウレタン等の高分子弾性体が不離一体化した複合素材では、その分解方法が異なるため適用が困難である。したがって、それぞれの成分に分離する必要があるが、コストが大きく、また完全に分離することも困難である。
【０００７】
加えて、ポリウレタン等はＮＯｘガス等によって黄変しやすいことから、白色やこれに近い色の皮革様シートを得ることが困難となっている。
【０００８】
これらの問題点を解消するため、ポリウレタン等の高分子弾性体を低減させた、若しくは実質的に含まない皮革様シートが提案されている。
【０００９】
例えば、外観を形成する極細繊維と、熱や溶剤での膨潤によって融着してバインダーとして働く繊維からなる皮革様シートの製造方法（例えば、特許文献３参照）、柔軟化を狙って、バインダー繊維が極細繊維からなる皮革様シートの製造方法が提案されている（例えば、特許文献４参照）。しかしながら、この方法では融着の頻度や程度を制御することが困難であるとともに、プレスのような圧力によって融着させるため基材の厚さ方向でも均一な融着状態が得にくく、十分な物性が得られないか、ペーパーライクになってしまう問題があった。
【００１０】
一方、ニードルパンチを行った後、高速流体処理を行う方法によって、絡合を向上させる方法が種々提案されている（例えば、特許文献５参照）。この方法は高速流体処理の交絡効率を高める手段として有用である。しかしながら、本発明者らの検討の結果、単にニードルパンチと高速流体処理を組み合わせても、ポリウレタンの付着量を低下させうるほど、不織布の物性を向上することが困難であるということが判った。
【００１１】
さらに、極細繊維を用いた複数の抄造ウエブ層の間に通気度が大きい布帛を挿入した構造物を水流交絡によって一体化する方法が提案されている（例えば、特許文献６参照）。この方法によれば、織物が積層されているため染色時に破れるという問題はないものの、高分子弾性体を付与しなければ皮革様シートとして、製品表面の耐摩耗性が不十分であった。
【００１２】
前述の課題に対して、本発明者らは高速流体処理を含むプロセスによって、極細繊維同士の交絡の頻度、程度を高めることに成功し、高分子弾性体を実質的に含まない皮革様シートを達成できることを見出した（例えば、特許文献７参照）。この手段によれば、ポリウレタンなどの高分子弾性体がなくてもペーパーライクな風合いとならず、衣料、家具等の使用に耐えうる摩耗、引張、引裂、耐光などの物性が得られる。
【００１３】
しかしながら、一部の用途、特に自動車内装材や各種コントラクト家具では高い耐光性、耐摩耗性を要求されるため、耐光性に優れる分散染料で染色した比較的太いポリエステル極細繊維によって皮革様シートを形成することが好ましい。ところが、高速流体処理による極細繊維同士の交絡の程度が、繊維径が大きくなるにしたがって低下するため、これらの用途に対して十分な性能を有する皮革様シートはなかった。
【特許文献１】ＷＯ０１／３０７２９号公報
【特許文献２】特開２００１−３４８４５７号公報
【特許文献３】特公平７−６２３０１号公報
【特許文献４】特開昭６１−２０１０８６号公報
【特許文献５】特公平１−１８１７８号公報
【特許文献６】特開平７−１０９６５４号公報
【特許文献７】特開２００５−０５４３４５号公報
【発明の開示】
【発明が解決しようとする課題】
【００１４】
本発明は、外観、風合い、物性に優れる皮革様シートの製造方法および皮革様シートを提供する。さらには、高い耐光性、耐摩耗性をポリウレタン等の高分子弾性体を実質的に含まずに達成し、リサイクル性、耐黄変性等に優れる皮革様シートの製造方法および皮革様シートを提供するものである。
【課題を解決するための手段】
【００１５】
本発明は、前述の課題を解決するため、以下の構成を有する。すなわち、
（１）目付が１５０〜４００ｇ／ｍ２、密度が０．２０〜０．３５ｇ／ｃｍ３の極細繊維不織布を、孔間隔が０．１５〜１．５０ｍｍで配置されたノズルから１孔当たり０．３５〜１．６０Ｎのジェット力で高速流体処理して、密度を０．３５〜０．５０ｇ／ｃｍ３にすることを特徴とする皮革様シートの製造方法。
【００１６】
（２）単繊維繊度が１〜１０ｄｔｅｘの極細繊維発生型複合繊維を用いて、ニードルパンチ法により複合繊維不織布を製造し、次いで極細繊維発現処理を行って得た極細繊維不織布を用いることを特徴とする前記（１）に記載の皮革様シートの製造方法。
【００１７】
（３）前記極細繊維の単繊維繊度が０．０５〜０．５０ｄｔｅｘであり、繊維長が１０〜１００ｍｍであることを特徴とする前記（１）または（２）に記載の皮革様シートの製造方法。
【００１８】
（４）前記ジェット力が、２０〜６０ＭＰａに加圧した流体を孔径が０．０８〜０．２５ｍｍのノズルから吐出することを特徴とする前記（１）〜（３）のいずれか１項に記載の皮革様シートの製造方法。
【００１９】
（５）前記極細繊維不織布と織編物を高速流体処理によって積層一体化することを特徴とする前記（１）〜（４）のいずれか１項に記載の皮革様シートの製造方法。
【００２０】
（６）前記（１）〜（５）のいずれか１項に記載の皮革様シートの製造方法によって得られたことを特徴とする皮革様シート。
【発明の効果】
【００２１】
本発明によれば、外観、風合い、物性に優れる皮革様シートの製造方法を提供できる。さらには、高い耐光性、耐摩耗性をポリウレタン等の高分子弾性体を実質的に含まずに達成し、リサイクル性、耐黄変性等に優れる皮革様シートの製造方法および皮革様シートを提供できる。
【発明を実施するための最良の形態】
【００２２】
本発明で得られる皮革様シートは実質的にポリウレタン等の高分子弾性体を含まず、実質的に非弾性ポリマーの繊維材料からなるものである。ここでいう「実質的に非弾性ポリマーの繊維素材からなる」とは、ポリウレタン等の高分子弾性体からなるバインダーの含有量が繊維に対して５重量％未満のものをいい、好ましくはバインダーが繊維に対して３重量％未満、より好ましくはバインダーが繊維に対して１重量％未満であり、もっとも好ましいのはバインダーを含まないものである。
【００２３】
ここでいう非弾性ポリマーの繊維とは、ポリエーテルエステル系繊維やいわゆるスパンデックス等のポリウレタン系繊維などのゴム状弾性に優れる繊維を意味する。なお、本発明の皮革様シートは、ポリエーテルエステル系繊維やスパンデックスなどのポリウレタン系繊維などの高分子弾性体を全く含まないものが最も好ましいが、本発明の効果を逸脱しない範囲において高分子弾性体が含まれていても構わない。また、例えば染料、柔軟剤、風合い調整剤、ピリング防止剤、抗菌剤、消臭剤、撥水剤、耐光剤、耐侯剤等の機能性薬剤が含まれていても良い。
【００２４】
本発明は、目付が１５０〜４００ｇ／ｍ２、密度が０．２０〜０．３５ｇ／ｃｍ３の極細繊維不織布を、孔間隔が０．１５〜１．５０ｍｍで配置されたノズルから１孔当たり０．３５〜１．６０Ｎのジェット力で高速流体処理して、密度を０．３５〜０．５０ｇ／ｃｍ３にすることを特徴とする皮革様シートの製造方法である。
【００２５】
本発明では、高目付、低密度の状態で特定の高速流体処理することによって、従来困難であった比較的太い極細繊維不織布に対して、繊維の固定を高いレベルで達成でき、これによって高い耐光性が得られることを見出したものである。
【００２６】
本発明における極細繊維不織布は、目付が１５０〜４００ｇ／ｍ２、密度が０．２０〜０．３５ｇ／ｃｍ３であることが重要で、その他は特に限定するものではなく、溶融紡糸、溶液紡糸して得られた長繊維、短繊維、これらからなる乾式不織布、湿式不織布、それらの積層物を用いることができる。
【００２７】
目付の下限は、１７０ｇ／ｍ２以上が好ましく、１９０ｇ／ｍ２以上がより好ましい。上限は、３５０ｇ／ｍ２以下が好ましく、３００ｇ／ｍ２以下がより好ましい。目付が１５０ｇ／ｍ２未満では、本発明で目的としている高い物性、特に耐摩耗性を得られず、４００ｇ／ｍ２を超えると高速流体処理における流体の通過性が低下するため高いレベルの品位を得ることが困難になる。このような目付の範囲は、高速流体処理に供する不織布として、一般的に用いられる１００ｇ／ｍ２以下のものと比べて極端に高い。本発明では、このような高い目付の極細繊維不織布に、後述の高速流体処理を施すことで高い物性が得られることを見出したものである。このような条件で高い物性が得られる理由は明らかではないが、例えば繊維交絡の頻度が上がることや、表層から高速流体処理によって繊維を押し込んだ際に接する繊維が多いために引き抜き抵抗が大きくなるためと考えられる。
【００２８】
また、密度の下限は０．２２ｇ／ｃｍ３以上が好ましく、上限は０．３３ｇ／ｃｍ３以下が好ましい。密度が０．２０ｇ／ｃｍ３未満では搬送時の形態安定性が不十分となりやすく、０．３５ｇ／ｃｍ３を超えると高速流体処理における繊維の交絡が進みにくいためである。
【００２９】
また、本発明では極細繊維不織布に織編物を積層一体化することができるが、この場合は織編物を除く極細繊維不織布の目付、密度が前述の範囲にあればよい。
【００３０】
なお、本発明でいう目付とは、ＪＩＳ  Ｌ１０９６  ８．４．２（１９９９）によって測定した目付であり、この目付を厚みで除した値を密度とした。なお、厚みの測定には、ダイヤルシックネスゲージ（（株）尾崎製作所製、商品名“ピーコックＨ”）を用い、サンプルを１０点測定して、その平均値を用いた。
【００３１】
上記の極細繊維不織布に高速流体処理を施してシート化する。極細繊維不織布への高速流体処理は、孔間隔が０．１５〜１．５０ｍｍで配置されたノズルから１孔当たり０．３５〜１．６０Ｎのジェット力で実施する。用いる流体は、作業環境の観点から水が好ましい。また、柱状流で処理するとエネルギーの伝達にかかる損失が小さく、好ましい。極細繊維不織布と孔の距離は、近い方がエネルギーの損失を抑えられる点で好ましいが、極端に近い場合は跳ね返り流が柱状流を乱しやすいため、吐出孔の径、長さ、形状、水圧などによって柱状流の長さ（孔から吐出された水がスプレー状になるまでの距離）は異なるものの、通常は１〜１０ｃｍの範囲に設定することが好ましい。
【００３２】
本発明における高速流体処理は、前述の密度にある極細繊維不織布に１孔当たり０．３５〜１．６０Ｎのジェット力で実施するものである。一般的に高速流体処理は、進行するシートに孔が直交して並んだ複数のノズルヘッドから流体を噴射する。複数のノズルヘッドを通過することによってシートの密度は高くなるが、密度を０．３５ｇ／ｃｍ３以上とするためノズルヘッドのジェットエネルギーがこの範囲にあることが重要である。例えば、前述の極細繊維不織布に対して１つ目のノズルヘッドで該ジェット力を与えることが、制御の容易さの点で好ましい。
【００３３】
孔間隔は０．１５〜１．５０ｍｍとするものであるが、下限は０．２０ｍｍ以上が好ましく、０．２５ｍｍ以上がより好ましく、０．３０ｍｍ以上がさらに好ましい。上限は、１．４０ｍｍ以下が好ましく、１．３０ｍｍ以下がより好ましく、１．２０ｍｍ以下がさらに好ましい。孔間隔が０．１５ｍｍ未満では、必要なジェット力を得るためには１回の処理で吐出される水量が大きくなり不織布や支持体を通過できずに滞留する水が発生しやすく、滞留した水によってウォータージェットの効果を著しく下げてしまう。また、孔間隔が１．５０ｍｍを超える場合は、水流によってシートに付与される打撃痕が目立つとともに、処理されていない部分で交絡が進まないためである。
【００３４】
また、１孔あたりのジェット力は０．３５〜１．６０Ｎであるが、下限は０．３７Ｎ以上が好ましく、０．３９Ｎ以上がより好ましい。上限は１．４０Ｎ以下が好ましく、１．２０Ｎ以下がさらに好ましい。１孔あたりのジェット力が０．３５Ｎ未満では十分な交絡が得られず、製品の耐摩耗性が不十分となりやすい。また、１孔あたりのジェット力が１．６０Ｎを超えると不織布や支持体を通過できずに滞留する水が発生しやすく、滞留した水によってウォータージェットの効果を著しく下げるとともに、均一な処理が困難になるため好ましくない。このようなジェット力は、比較的大きい孔径とすることで得やすいことから、孔径は０．０８〜０．２５ｍｍが好ましく、０．１０〜０．２３ｍｍがより好ましい。
【００３５】
孔径、チャンバー内の水圧を調整して、このようなジェット力を得る。ジェット力の計算は、孔径が流体の吐出径とおき、下の式に従って求める。
【００３６】
Ｆ＝０．７５４×Ｐｇ×ｄｉ２
ただし、Ｆ  ：１孔あたりのジェット力（Ｎ）
Ｐｇ：水圧（ＭＰａ）
ｄｉ：孔径（ｍｍ）
なお、高速流体処理を行う前に極細繊維不織布に流体浸漬処理を行ってもよい。さらに表面の品位を向上させるために、ノズルヘッドおよび／または極細繊維不織布を回転運動、往復運動したり、不織布とノズルの間に金網等を挿入して散水処理する等の方法を行うこともできる。
【００３７】
一般的には複合繊維から得た極細繊維の場合、繊維同士が集束した極細繊維束が主として絡合しているが、このような処理によって、極細繊維束による絡合がほとんど観察されない程度にまで極細繊維同士を高度に絡合させることができる。
【００３８】
本発明では、１〜１０ｄｔｅｘの太い繊維はニードルパンチによる絡合が優れ、０．０００１〜０．５ｄｔｅｘの細い繊維は高速流体処理による絡合が優れる傾向があることを利用し、繊度１〜１０ｄｔｅｘの極細繊維発生型複合繊維を用いてニードルパンチにより十分に絡合させ、次いで０．０００１〜０．５ｄｔｅｘの極細繊維を得る極細化処理（極細繊維発現処理）をした後、高速流体処理することが好ましい。特に、前述の高速流体処理によって、極細繊維不織布の密度を０．３５〜０．５０ｇ／ｃｍ３にすることが重要である。このことによって高い物性が得られるものであり、高速流体処理が前述の範囲から外れて同様の密度を達成しても高いレベルの物性が得られない。この理由は定かではないが、本発明の高速流体処理はエネルギーが押し付けによる高密度化に優先して、選択的に交絡に寄与するためと考えられる。
【００３９】
なお、織編物を高速流体処理で積層した場合は、織編物そのものの密度に関わらず、積層一体化したシートの密度が０．３５〜０．５０ｇ／ｃｍ３となればよい。このことによって、極細繊維不織布のみの場合と同様に高い物性を得ることができる。
【００４０】
以下に本発明の製造方法を順に追って説明する。
【００４１】
単繊維繊度が前述の範囲にある、いわゆる極細繊維の製造方法は特に限定されず、例えば直接極細繊維を紡糸する方法、通常繊度の繊維であって極細繊維を発生することができる繊維（極細繊維発生型複合繊維）を紡糸し、次いで極細化処理により極細繊維を発生させる方法がある。
【００４２】
そして極細繊維発生型複合繊維を用いる方法としては、例えば海島型複合繊維を紡糸してから海成分を除去する方法、分割型複合繊維を紡糸してから分割して極細化する方法等の手段で製造することができる。これらの中で、本発明においては極細繊維を容易に安定して得ることが出来る点で、海島型複合繊維または分割型複合繊維（以下、あわせて複合繊維と記すことがある）によって製造することが好ましく、さらには皮革様シートとした場合、同種の染料で染色できる同種ポリマーからなる極細繊維を容易に得ることが出来る点で、海島型複合繊維によって製造することがより好ましい。
【００４３】
上記の海島型複合繊維としては、２成分以上の成分を任意の段階で複合、混合して海島状態とした繊維を用いることができる。この繊維を得る方法としては、特に限定されず、例えば（１）２成分以上のポリマーをチップ状態でブレンドして紡糸する方法、（２）予め２成分以上のポリマーを混練してチップ化した後、紡糸する方法、（３）溶融状態の２成分以上のポリマーを紡糸機のパック内で静止混練器等で混合する方法、（４）特公昭４４−１８３６９号公報、特開昭５４−１１６４１７号公報等の口金を用いて製造する方法、等が挙げられる。本発明においてはいずれの方法でも良好に製造することが出来るが、ポリマーの選択が容易である点で上記（４）の方法が好ましく採用される。
【００４４】
かかる（４）の方法において、海島型複合繊維および海成分を除去して得られる島繊維の断面形状は特に限定されず、例えば丸、多角、Ｙ、Ｈ、Ｘ、Ｗ、Ｃ、π型等が挙げられる。また用いるポリマー種の数も特に限定されるものではないが、紡糸安定性や染色性を考慮すると２〜３成分であることが好ましく、特に海１成分、島１成分の２成分で構成されることが好ましい。またこのときの成分比は、島繊維の海島型複合繊維に対する重量比で０．３０〜０．９９であることが好ましく、０．４０〜０．９７がより好ましく、０．５０〜０．８０がさらに好ましい。０．３０未満であると、海成分の除去率が多くなるためコスト的に好ましくない。また０．９９を越えると、島成分同士の合流が生じやすくなり、紡糸安定性の点で好ましくない。
【００４５】
また、用いるポリマーは特に限定されるものではなく、例えば島成分としてポリエステル、ポリアミド、ポリプロピレン、ポリエチレン等適宜用途に応じて使用することができるが、特に、染色性や強度、耐久性、堅牢度の点で、ポリエステルであることが好ましい。
【００４６】
本発明に用いることのできるポリエステルとしては、ジカルボン酸またはそのエステル形成性誘導体及びジオールまたはそのエステル形成性誘導体から合成されるポリマーであって、複合繊維として用いることが可能なものであれば特に限定されるものではない。具体的には、例えば、ポリエチレンテレフタレート、ポリトリメチレンテレフタレート、ポリテトラメチレンテレフタレート、ポリシクロヘキシレンジメチレンテレフタレート、ポリエチレン−２，６−ナフタレンジカルボキシレ−ト、ポリエチレン−１，２−ビス（２−クロロフェノキシ）エタン−４，４’−ジカルボキシレート等が挙げられる。本発明は、中でも最も汎用的に用いられているポリエチレンテレフタレートまたは主としてエチレンテレフタレート単位を含むポリエステル共重合体が好適に使用される。
【００４７】
海島型複合繊維の海成分として用いるポリマーは、島成分を構成するポリマーよりも溶解性、分解性の高い化学的性質を有するものであれば特に限定されるものではない。島成分を構成するポリマーの選択にもよるが、例えばポリエチレンやポリスチレン等のポリオレフィン、５−ナトリウムスルホイソフタル酸、ポリエチレングリコール、ドデシルベンゼンスルホン酸ナトリウム、ビスフェノールＡ化合物、イソフタル酸、アジピン酸、ドデカジオン酸、シクロヘキシルカルボン酸等を共重合したポリエステル等を用いることができる。紡糸安定性の点ではポリスチレンが好ましいが、有機溶剤を使用せずに容易に除去できる点でスルホン基を有する共重合ポリエステルが好ましい。かかる共重合比率としては、処理速度、安定性の点から５モル％以上、重合や紡糸、延伸のしやすさから２０モル％以下であることが好ましい。本発明において好ましい組み合わせとしては、島成分にポリエステルを用い、海成分にポリスチレン又はスルホン基を有する共重合ポリエステルである。
【００４８】
これらのポリマーには、隠蔽性を向上させるためにポリマー中に酸化チタン粒子等の無機粒子を添加してもよいし、その他、潤滑剤、顔料、熱安定剤、紫外線吸収剤、導電剤、蓄熱剤、抗菌剤等、種々目的に応じて添加することもできる。
【００４９】
また、海島型複合繊維を得る方法については、特に限定されず、例えば上記（４）の方法に示した口金を用いて未延伸糸を引き取った後、湿熱または乾熱、あるいはその両者によって１〜３段延伸することによって得ることが出来る。
【００５０】
なお、分割型複合繊維を用いる場合は、主に口金内で２成分以上を複合し、前述の海島型複合繊維の製造方法に準じて行うことができる。
【００５１】
極細繊維不織布を得る方法としては、上記極細繊維発生型繊維（複合繊維）で不織布（複合繊維不織布）を製造した後に極細化して極細繊維不織布とする方法と、極細繊維で不織布を製造して極細繊維不織布とする方法がある。本発明においては前者が好ましく採用されることから、以下、この方法を例にとって述べる。
【００５２】
不織布を製造する方法としては、スパンボンド法やカード法などの乾式法、抄造法のような湿式法のいずれでウエブを製造しても良いが、本発明のような高い物性を得るために繊維長が長い方が有利なため、乾式法が好ましい。繊維長は、生産性や得られるものの風合いを考慮して１０〜１００ｍｍが好ましい。下限は、２０ｍｍ以上がより好ましく、３０ｍｍ以上がさらに好ましい。上限は、９０ｍｍ以下がより好ましく、８０ｍｍ以下がさらに好ましい。１００ｍｍを越える繊維長のものも、本発明の効果を損なわない限り含まれていても良い。また下限も特に限定されずに不織布の製造方法によって適宜設定できるが、１０ｍｍ未満であると脱落が多くなり、強度や耐摩耗性等の特性が低下する傾向があり、１００ｍｍを超えると不織布の均一性、生産性が低下しやすいためである。
【００５３】
このような繊維長の繊維を得る方法として好ましく採用されるのは、直接または複合繊維として得た未延伸糸を延伸した後に、ロータリーカッターやギロチンカッターで短繊維化する方法である。
【００５４】
本発明の極細繊維は、単繊維繊度が０．０００１〜０．５ｄｔｅｘの範囲のものであるが、耐光性の点で、０．０５ｄｔｅｘ以上が好ましく、０．０８ｄｔｅｘ以上がより好ましい。一般に、繊維が太くなると高速流体処理での交絡が進みにくくなり、物性が低くなる傾向があるが、本発明の製造方法によれば、高い物性を得ることができる。
【００５５】
本発明における極細繊維不織布は、優れた品位や風合いを得るために短繊維不織布が好ましい。特に、生産性や得られるものの風合いを考慮して、極細繊維のアスペクト比が５，０００〜９００，０００が好ましい。ここでいうアスペクト比とは、繊維長を繊維径で除した値であり、１０，０００〜５００，０００がより好ましく、２０，０００〜５０，０００がさらに好ましい。アスペクト比が５，０００未満では、脱落が多くなりやすく、強度や耐摩耗性といった特性が低下する傾向があり、９００，０００を超えると繊維本数が少なくなるため、均一性が損なわれやすい。また、前述の高速流体処理において、アスペクト比が５，０００未満では繊維本数あたりの絡まりや引っかかりが少なくなるため、高圧処理によって形態が破壊されやすく、９００，０００を超えると、交絡に必要な水圧、水量が増大するため経済的に不利となる。なお、本発明でいうアスペクト比は、極細繊維不織布から抜き出した極細繊維の長さと直径を直接測定することによって得られる。なお、直径は、断面が円でない場合は外接円の直径を用いる。
【００５６】
以上より、複合繊維不織布は複合短繊維不織布であることが好ましい。かかる複合短繊維不織布は、ニードルパンチ処理によって、０．３５〜０．５０ｇ／ｃｍ３の範囲の密度にされる。密度の下限は０．１２０ｇ／ｃｍ３以上が好ましく、０．１５０ｇ／ｃｍ３以上がより好ましい。上限は０．３００ｇ／ｃｍ３以下が好ましく、０．２５０ｇ／ｃｍ３がより好ましい。０．１２０ｇ／ｃｍ３未満であると、絡合が不十分であり、目的の物性が得られにくくなり、０．３００ｇ／ｃｍ３を越えると、ニードル針の折れや、針穴が残留するなどの問題が生じるため、好ましくない。
【００５７】
また、ニードルパンチを行う際には、複合繊維の単繊維繊度の下限は１ｄｔｅｘ以上が好ましく、２ｄｔｅｘ以上がより好ましい。上限は１０ｄｔｅｘ以下が好ましく、８ｄｔｅｘ以下がより好ましく、６ｄｔｅｘ以下がさらに好ましい。単繊維繊度が１ｄｔｅｘ未満である場合や１０ｄｔｅｘを越える場合は、ニードルパンチによる絡合が不十分となり、良好な物性の極細繊維不織布を得ることが困難になるためである。
【００５８】
本発明におけるニードルパンチでは、単なる工程通過性を得るための仮止めとしての役割ではなく、繊維を十分に絡合させることが好ましい。打ち込み密度が高すぎる場合は、繊維が切断して物性が低下しやすくなるため、打ち込み密度の下限は１００本／ｃｍ２以上が好ましく、５００本／ｃｍ２以上がより好ましく、１０００本／ｃｍ２以上がさらに好ましい。打ち込み密度の上限は、５０００本／ｃｍ２以下が好ましく、４０００本／ｃｍ２以下がより好ましい。
【００５９】
このようにして得られた複合短繊維不織布は、乾熱または湿熱、あるいはその両者によって収縮させ、さらに高密度化することが好ましい。
【００６０】
次に、この複合短繊維不織布に極細化処理を施して、極細化する。高速流体処理を極細化処理と兼ねることは可能であるが、少なくとも極細化処理が大部分終了した後にも高速流体処理を行うことが、より極細繊維同士の絡合を進める上で好ましく、極細化処理を行った後に高速流体処理を行うことがより好ましい。
【００６１】
極細化処理の方法としては、特に限定されるものではないが、例えば機械的方法、化学的方法が挙げられる。機械的方法とは、物理的な刺激を付与することによって極細化する方法であり、例えば上記のニードルパンチ法や水を用いた高速流体処理法等の衝撃を与える方法の他に、ローラー間で加圧する方法、超音波処理を行う方法等が挙げられる。また化学的方法とは、例えば、複合繊維を構成する少なくとも１成分に対し、薬剤によって膨潤、分解、溶解等の変化を与える方法が挙げられる。特にアルカリ易分解性海成分を用いてなる海島型複合繊維で複合短繊維不織布を作製し、次いで中性〜アルカリ性の水溶液で処理して極細化する方法は、溶剤を使用せず作業環境上好ましいことから、本発明の好ましい態様の一つである。中性〜アルカリ性の水溶液は、ｐＨ６〜１４を示す水溶液とするものであり、使用する薬剤等は特に限定されるものではない。例えば有機または無機塩類を含む水溶液で上記範囲のｐＨを示すものであれば良く、水酸化ナトリウム、水酸化カリウム、水酸化リチウム、炭酸ナトリウム、炭酸水素ナトリウム等のアルカリ金属塩、水酸化カルシウム、水酸化マグネシウム等のアルカリ土類金属塩等が挙げられる。また、必要によりトリエタノールアミン、ジエタノールアミン、モノエタノールアミン等のアミンや減量促進剤、キャリアー等を併用することもできる。中でも水酸化ナトリウムが価格や取り扱いの容易さ等の点で好ましい。さらに複合短繊維不織布に前述の中性〜アルカリ性の水溶液処理を施した後、必要に応じて中和、洗浄して残留する薬剤や分解物等を除去してから乾燥を施すことが好ましい。
【００６２】
なお、これらの極細化処理と高速流体処理を同時に行う方法としては、例えば水可溶性の海成分からなる複合繊維を用い、水による高速流体処理によって除去と絡合を行う方法、アルカリ分解速度の異なる２成分以上の複合繊維を用い、アルカリ処理液を通して易溶解成分を分解処理した後に、水による高速流体処理によって最終除去および絡合処理を行う方法、等が挙げられる。
【００６３】
ここで、高速流体処理については既に詳述したとおりである。
【００６４】
また、本発明では高速流体処理時の極細繊維不織布の形態安定性を向上させる目的で形態安定化剤を付与することが好ましい。特に、水溶性の形態安定化剤を極細処理の前後に不織布に付与し、前述の水による高速流体処理によって不織布を形態安定化する際に除去することが好ましい。かかる水溶性の形態安定化剤としてはポリビニルアルコール、あるいはその誘導体、水溶性でんぷん、カルボキシメチルセルロース、アクリル酸エステル部分ケン化物、ポリアクリルアミド、酢酸セルロース等の有機物質が好ましい。これら水溶性の形態安定化剤は水溶液もしくはエマルジョンとしてウエブや不織布付与するが、形態安定化剤の水溶液もしくはエマルジョンの付与処理については含浸法、スプレー法、コーティング法等を施したものを熱による乾式凝固法、水等による湿式凝固法、適宜スチーム処理等の常法で処理することができる。付与量は少なすぎると、形態および機能保持が困難になり、多すぎると水による高速流体処理の効果を阻害して極細繊維の交絡が進みにくいことから、極細化処理後の極細繊維重量に対して、３〜６０重量％が好ましく、５〜５０重量％がより好ましい。
【００６５】
本発明で得られる皮革様シートは、極細繊維不織布を含むものであれば、織編物を積層などして含むものであっても良い。
【００６６】
織編物と極細繊維不織布（もしくはシート）との積層は、ニードルパンチ工程、または高速流体処理工程までに重ねて載せておき、それぞれの処理によって交絡一体化することで達成できる。このとき、ニードルパンチ工程と高速流体処理工程のいずれの工程で交絡一体化してもかまわないが、織編物を構成する繊維が切断されにくいため、高速流体処理での交絡一体化による積層が好ましい。このとき、極細繊維不織布を織編物の片面または両面に配置することができる。
【００６７】
なお、ポリウレタン等の高分子弾性体からなるバインダーを少量ながら付与する場合は、極細化処理前、極細化処理後、織編物との積層前、織編物との積層後、染色前、染色後等、いずれの時点で行ってもよい。バインダーを付与する方法としては、通常の方法を採用することができる。
【００６８】
さらにまた、スエード調やヌバック調の皮革様シートを得る場合は、サンドペーパーやブラシ等による起毛処理を行うことが好ましい。かかる起毛処理は染色の前または後、あるいは染色前および染色後に行うことができる。
【００６９】
そして、このような皮革様シートは、染色されてなることが好ましい。染色方法は特に限定されるものではなく、用いる染色機も、液流染色機の他、サーモゾル染色機、高圧ジッガー染色機等いずれでもよいが、得られる皮革様シートの風合いが優れる点で液流染色機を用いて染色することが好ましい。
【００７０】
染色に用いる染料の種類としては、皮革様シートのポリマー種によって、分散染料、バット染料、酸性染料、含金染料、反応染料などから適宜選ばれた発色性と堅牢度の優れたものが好ましい。例えばポリエステル系繊維素材からなる本発明の皮革様シートを染色する場合は、アントラキノン系、キノフタロン系などの、耐光性の良好な分散染料が好ましく用いられる。また、染色浴に酢酸、酢酸ソーダなどのｐＨ調整剤、均染剤、分散剤等を適宜添加することができる。染色後、皮革様シート表面および繊維交絡点に付着している染料や助剤を除去し、製品の堅牢度を向上させるため洗浄を行うことできる。洗浄方法は通常行われている方法を用いることができ、例えば、繊維としてポリエステルを用い、分散染料で染色した場合は、ハイドロサルファイト等の還元剤、界面活性剤、水酸化ナトリウム等のｐＨ調整剤等を用い、６０〜１００℃の温度で２０〜３０分程度行うことが好ましい。
【００７１】
また、皮革様シートとしては、銀付き調や立毛調等いずれでも良いが、繊維素材のみからなる場合は、特に立毛調とする方がより良好な表面品位を得ることができるので、少なくとも一方の面が起毛されていることが好ましい。銀付き調の表面を得る場合には、従来のポリウレタン等の樹脂層を形成させるものと異なり、表面に超高密度繊維層を形成させる方法が好ましい。なお、本発明で得られる皮革様シートは、実質的に繊維素材からなるものであるが、単なる不織布とは異なり、一般の天然皮革や人工皮革と類似した表面品位を有するものである。
【実施例】
【００７２】
以下、実施例により、本発明をさらに詳細に説明する。なお、実施例中の物性値は以下に述べる方法で測定した。
【００７３】
（１）目付、密度
目付はＪＩＳ  Ｌ  １０９６ ８．４．２（１９９９）の方法で測定した。また、厚みをダイヤルシックネスゲージ（（株）尾崎製作所製、商品名“ピーコックＨ”）により測定し、目付の値から計算によって密度を求めた。
【００７４】
（２）耐光性
ＪＩＳ  Ｌ  ０８４３（１９９８）のキセノンアーク灯光試験（Ｂ−６法、水冷式、内側フィルター：石英、外側フィルター：ほうけい酸ガラス、放射露光量：７７．８ＭＪ／ｍ２）で測定した。
【００７５】
（３）耐摩耗性
ＪＩＳ  Ｌ  １０９６（１９９９）８．１７．５  Ｅ法（マーチンデール法）家具用荷重（１２ｋＰａ）に準じて測定される耐摩耗試験において、３０００回および２００００回の回数を摩耗した後の試験布の重量減を評価し、ＪＩＳ  Ｌ  １０７６（１９９２）  表２の判定基準表に準じて外観から等級を判定した。減量は、２００００回磨耗したときの値、外観は３０００回と２００００回のうちで低い等級で判定した。
【００７６】
（４）外観
製品面の外観を目視により○〜×の３段階で評価した。なお、○〜×は次の内容で判定した。
○：色、立毛、平滑さが均一で、穴が無い
△：色、立毛、平滑さのいずれかが均一でなく、穴が無い
×：色、立毛、平滑さのいずれかが均一でなく、穴が明いている。
【００７７】
製造例１（織物１の作製）
極限粘度が０．４０のポリエチレンテレフタレートからなる低粘度成分と、極限粘度が０．７５のポリエチレンテレフタレートからなる高粘度成分とを重量複合比５０：５０でサイドバイサイドに貼りあわせて紡糸および延伸し、５６デシテックス１２フィラメントの複合マルチフィラメント繊維糸を得た。これを１５００Ｔ／ｍ（撚係数１１２２５）で追撚して、６５℃でスチームセットを行った。この糸をタテ糸とヨコ糸に用い、織組織を平織とし、９４×６４本／２．５４ｃｍの織密度で製織した。この織物を９８℃で精練した後、１１０℃で液流染色機を用いてリラックス処理を行い、織密度が１２２×８７本／２．５４ｃｍ、目付が６４ｇ／ｍ２の織物１を得た。
【００７８】
製造例２（織物２の作製）
極限粘度が０．６６のポリエチレンテレフタレート成分を紡糸および延伸し、５６デシテックス４８フィラメントの複合繊維を得た。これをＳ撚りで２４００Ｔ／ｍ（撚係数１７９６０）で撚りをかけ、７５℃でスチームセットを行った。同様に、Ｚ撚りで２４００Ｔ／ｍ（撚係数１７９６０）で撚りをかけ、７５℃でスチームセットを行った糸を作製した。タテ糸に、Ｓ撚りの糸とＺ撚りの糸を交互に配し、ヨコ糸にＳ撚りの糸を用い織組織を平織とし、９３×６４本／２．５４ｃｍの織密度で織物を作製し、６０ｇ／ｍ２の織物２を得た。
【００７９】
実施例１
海成分としてポリスチレン２０部、島成分としてポリエチレンテレフタレート８０部からなる単繊維繊度４ｄｔｅｘ、１６島、繊維長５１ｍｍの海島型複合短繊維を用い、カード、クロスラッパーを通してウエブを作製した。次いで１バーブ型のニードルにて２５００本／ｃｍ２の打ち込み密度でニードルパンチ処理し、密度０．２１０ｇ／ｃｍ３の複合短繊維不織布を得た。次に約９５℃に加温した重合度５００、ケン化度８８％のポリビニルアルコール１２％の水溶液に固形分換算で不織布重量に対し２５％の付着量になるように浸漬し、ポリビニルアルコール（以下、ＰＶＡ）の含浸と同時に２分間収縮処理を行い、１００℃にて乾燥して水分を除去した。得られたシートを約３０℃のトリクレンでポリスチレンを完全に除去するまで処理し、目付２８５ｇ／ｍ２、密度０．３４ｇ／ｃｍ３、単繊維繊度０．２ｄｔｅｘの極細繊維不織布を得た。
【００８０】
次いで、前述の極細繊維不織布の裏側に製造例１の織物１を積層した状態で、０．１４ｍｍの孔径で、０．７ｍｍ間隔のノズルヘッドからなる水を用いた高速流体処理にて、５ｍ／分の処理速度で表から４０ＭＰａで３回処理した後、同様に裏から３回処理し（計６回）、ＰＶＡの除去とともに絡合を行った。
【００８１】
このようにして得られたシートはＰＶＡが完全に脱落しており、密度が０．４０ｇ／ｃｍ３  であり、極細繊維同士が絡合した緻密なシートであった。
得られたシートの表面を株式会社菊川鉄工所製のワイドベルトサンダで、粒度がＰ４００の炭化ケイ素砥粒のサンドペーパーを用いて、繊維シートのバフによる減量が５重量％になるまでバフィングした後、液流染色機（サーキュラ染色機（日阪製作所（株）製））を用い、アントラキノン系及びキノフタロン系の染料で構成されるベージュ色染料を１．８％ｏｗｆの濃度で、１２０℃、４５分で染色後、ハイドロサルファイト４ｇ／ｌ、水酸化ナトリウム１．５ｇ／ｌ、界面活性剤０．２ｇ／ｌの液浴中で８０℃、２０分間洗浄を行い、さらに４０℃で２０分間湯洗い後マングルで脱水し、柔軟剤としてエルソフトＮ５００コンク（一方社油脂工業（株）製）８ｇ／ｌをマングルを用いパッド法にて付与した。この時の液のウエットピックアップ率はシート状物に対して８０重量％であった。その後１００℃で乾燥しスエード調の繊維素材のみからなる皮革様シートを得た。得られた皮革様シートの物性を評価した結果を表１に示した。
【００８２】
実施例２
海成分としてポリスチレン２０部、島成分としてポリエチレンテレフタレート８０部からなる単繊維繊度４ｄｔｅｘ、１６島、繊維長５１ｍｍの海島型複合短繊維を用い、カード、クロスラッパーを通してウエブを作製した。次いで前述のウエブと製造例２の織物２を積層して１バーブ型のニードルにて２５００本／ｃｍ２の打ち込み密度でニードルパンチ処理し、密度０．２６０ｇ／ｃｍ３の複合短繊維不織布を得た。次に約９５℃に加温した重合度５００、ケン化度８８％のポリビニルアルコール５％の水溶液に固形分換算で不織布重量に対し１０％の付着量になるように浸漬し、ポリビニルアルコール（以下、ＰＶＡ）の含浸と同時に２分間収縮処理を行い、１００℃にて乾燥して水分を除去した。得られた極細繊維不織布を約３０℃のトリクレンでポリスチレンを完全に除去するまで処理し、目付４００ｇ／ｍ２、密度０．２８ｇ／ｃｍ３、単繊維繊度０．２ｄｔｅｘの極細繊維不織布を得た。
次いで、０．１４ｍｍの孔径で、０．７ｍｍ間隔のノズルヘッドからなる水を用いた高速流体処理にて、５ｍ／分の処理速度で表から４０ＭＰａで３回処理した後、同様に裏から３回処理し（計６回）、ＰＶＡの除去とともに絡合を行った。
【００８３】
このようにして得られたシートはＰＶＡが完全に脱落しており、密度が０．４８ｇ／ｃｍ３であり、極細繊維同士が絡合した緻密なシートであった。
得られたシートを実施例１と同様に処理してスエード調の繊維素材のみからなる皮革様シートを得た。得られた皮革様シートの物性を評価した結果を表１に示した。
【００８４】
実施例３
カードへの原綿の投入量を減らした以外は、実施例１と同様にしてスエード調の繊維素材のみからなる皮革様シートを得た。得られた皮革様シートの物性を評価した結果を表１に示した。
【００８５】
実施例４
０．１２ｍｍの孔径で、０．６ｍｍ間隔のノズルで、表裏とも３５ＭＰａで処理し、ＰＶＡの除去とともに絡合を行なった以外は、実施例１と同様にして皮革様シートを得た。得られた皮革様シートの物性を表１に示した。
【００８６】
実施例５
０．２５ｍｍの孔径で、１．５ｍｍ間隔のノズルで、表裏とも２５ＭＰａで処理し、ＰＶＡの除去とともに絡合を行なった以外は、実施例１と同様にして皮革様シートを得た。得られた皮革様シートの物性を表１に示した。
【００８７】
比較例１
カードへの原綿の投入量を減らした（すなわち、高速流体処理前の極細繊維不織布の目付が小さい）以外は、実施例１と同様にしてスエード調の繊維素材のみからなる皮革様シートを得た。得られた皮革様シートの物性を評価した結果を表１に示した。
【００８８】
比較例２
カードへの原綿の投入量を増やした（すなわち、高速流体処理前の極細繊維不織布の目付が大きい）以外は、実施例１と同様にしてスエード調の繊維素材のみからなる皮革様シートを得た。得られた皮革様シートの物性を評価した結果を表１に示した。
【００８９】
比較例３
海成分としてポリスチレン２０部、島成分としてポリエチレンテレフタレート８０部からなる単繊維繊度４ｄｔｅｘ、１６島、繊維長５１ｍｍの海島型複合短繊維を用い、カード、クロスラッパーを通してウエブを作製した。次いで１バーブ型のニードルにて５００本／ｃｍ２の打ち込み密度でニードルパンチ処理し、密度０．１７０ｇ／ｃｍ３の複合短繊維不織布を得た。次に約９５℃に加温した重合度５００、ケン化度８８％のポリビニルアルコール２２％の水溶液に固形分換算で不織布重量に対し４６％の付着量になるように浸漬し、ポリビニルアルコール（以下、ＰＶＡ）の含浸と同時に２分間収縮処理を行い、１００℃にて乾燥して水分を除去した。得られた極細繊維不織布を約３０℃のトリクレンでポリスチレンを完全に除去するまで処理し、目付２８５ｇ／ｍ２、密度０．１８ｇ／ｃｍ３、単繊維繊度０．２ｄｔｅｘの極細繊維不織布を得た。
【００９０】
この極細繊維不織布を用いて実施例１と同様に処理し、スエード調の繊維素材のみからなる皮革様シートを得た。得られた皮革様シートの物性を評価した結果を表１に示した。
【００９１】
比較例４
海成分としてポリスチレン２０部、島成分としてポリエチレンテレフタレート８０部からなる単繊維繊度４ｄｔｅｘ、１６島、繊維長５１ｍｍの海島型複合短繊維を用い、カード、クロスラッパーを通してウエブを作製した。次いで１バーブ型のニードルにて２５００本／ｃｍ２の打ち込み密度でニードルパンチ処理し、密度０．２１０ｇ／ｃｍ３の複合短繊維不織布を得た。次に約９５℃に加温した重合度５００、ケン化度８８％のポリビニルアルコール２％の水溶液に固形分換算で不織布重量に対し４％の付着量になるように浸漬し、ポリビニルアルコール（以下、ＰＶＡ）の含浸と同時に２分間収縮処理を行い、１００℃にて乾燥して水分を除去した。得られた極細繊維不織布を約３０℃のトリクレンでポリスチレンを完全に除去するまで処理し、目付２８５ｇ／ｍ２、密度０．４０ｇ／ｃｍ３、単繊維繊度０．２ｄｔｅｘの極細繊維不織布を得た。
【００９２】
この極細繊維不織布を用いて実施例１と同様に処理し、スエード調の繊維素材のみからなる皮革様シートを得た。得られた皮革様シートの物性を評価した結果を表１に示した。
【００９３】
比較例５
０．１０ｍｍの孔径で、０．６ｍｍ間隔のノズルで、ジェット力０．３０Ｎで処理し、ＰＶＡの除去とともに絡合を行なった以外は、実施例１と同様にして皮革様シートを得た。得られた皮革様シートの物性を表１に示した。
【００９４】
比較例６
０．２５ｍｍの孔径で、１．５ｍｍ間隔のノズルで、ジェット力１．８９Ｎで処理し、ＰＶＡの除去とともに絡合を行なった以外は、実施例１と同様にして皮革様シートを得た。得られた皮革様シートの物性を表１に示した。
【００９５】
比較例７
０．１４ｍｍの孔径で、２．０ｍｍ間隔のノズルで処理し、ＰＶＡの除去とともに絡合を行なった以外は、実施例１と同様にして皮革様シートを得た。得られた皮革様シートの物性を表１に示した。
【００９６】
【表１】
2008208479.tif 000002
【産業上の利用可能性】
【００９７】
本発明により、実質的に高分子弾性体を含まず、主として繊維素材からなる不織布構造体であっても、皮革様シートとして十分な物性と品位を得ることが可能となる。本発明の極細繊維不織布は、リサイクル性やイージーケア性、耐黄変性等に優れる特徴を有することから、衣料、家具、カーシート、雑貨、研磨布、ワイパー、フィルター等の用途は勿論のこと、その中でもリサイクル性や高い耐光性を活かして特に自動車用内装材や各種コントラクト用資材に好ましく使用することができる。